(57)【要約】【課題】ウルトラファインバブルを観賞魚の育成に有効活用できるようにするための観賞魚育成システムを提供する。【解決手段】観賞魚を育成するための育成水を貯留する育成水槽１と、この育成水槽１から排出される育成水を濾過処理して濾過処理後の育成水を貯留する濾過槽２と、濾過処理後の育成水を育成水槽１に戻すための第１循環ポンプ４ａを備える第１循環流路４と、濾過処理後の育成水を再び濾過槽２に戻すための第２循環ポンプ５ａを備える第２循環流路５とを設けるとともに、第２循環流路５の第２循環ポンプ５ａの下流側に、酸素ガスをナノレベルの気泡となして育成水に混合させるための気液混合装置６を設けた。【選択図】図１
2018153159.tif 000002
【特許請求の範囲】
【請求項１】
観賞魚を育成するための育成水を貯留する育成水槽と、この育成水槽から排出される育成水を濾過処理して濾過処理後の育成水を貯留する濾過槽と、濾過処理後の育成水を育成水槽に戻すための第１循環ポンプを備える第１循環流路と、濾過処理後の育成水を再び濾過槽に戻すための第２循環ポンプを備える第２循環流路と、第２循環流路の第２循環ポンプの下流側に配置され、酸素ガスをナノレベルの気泡となして育成水に混合させるための気液混合装置と、を有する観賞魚育成システム。
【請求項２】
第２循環流路の下流端は濾過槽内の育成水面の上方に位置する、請求項１に記載の観賞魚育成システム。
【請求項３】
第１循環流路の下流端は育成水槽内の育成水中に位置する、請求項１又は２に記載の観賞魚育成システム。
【請求項４】
第１循環ポンプの出力が第２循環ポンプの出力より小さい、請求項１から３のいずれかに記載の観賞魚育成システム。
【請求項５】
育成水槽から濾過槽へ向けた育成水の排出方式がオーバーフロー方式である、請求項１から４のいずれかに記載の観賞魚育成システム。
【発明の詳細な説明】
【技術分野】
【０００１】
本発明は、育成水槽内で観賞魚を育成する観賞魚育成システムに関する。
【背景技術】
【０００２】
従前より、育成水槽内で観賞魚を育成する観賞魚育成システムにおいては、育成水槽内の育成水を観賞魚にとって良好な状態に維持するために、育成水を循環濾過する循環濾過システムが採用されている。このように循環濾過システムを採用した観賞魚育成システムは一般的に、観賞魚を育成するための育成水を貯留する育成水槽と、この育成水槽から排出される育成水を濾過処理して濾過処理後の育成水を貯留する濾過槽と、濾過処理後の育成水を育成水槽に戻すための循環ポンプを備える循環流路とを有し、循環流路内で育成水に空気を混合させるようにしたものも知られている（例えば特許文献１、２）。
【０００３】
一方、食用魚の養殖場において溶存酸素量（ＤＯ値）を増加させると魚の成長が促進されることが知られており、特許文献３には酸素ガスをナノレベルの気泡（ウルトラファインバブル）となして食用魚の飼育水に混合する気液混合装置（気液混合水生成装置）を含む閉鎖循環濾過養殖システムが提案されている。
【先行技術文献】
【特許文献】
【０００４】
【特許文献１】特許第２５５６４１０号公報
【特許文献２】特開平７−５０９５３号公報
【特許文献３】国際公開第２０１５／１１１５９２号
【発明の概要】
【発明が解決しようとする課題】
【０００５】
本発明者らは、特許文献３に開示されているような気液混合装置を従来の観賞魚育成システムの循環流路に設置して、ウルトラファインバブルを観賞魚育成システムに活用することを考えた。しかし、ウルトラファインバブルを生成する気液混合装置を循環流路に設置しても観賞魚の育成には効果が得られず、むしろ観賞魚の育成状態が悪化した。すなわち、ウルトラファインバブルを生成するには循環流路に高出力の循環ポンプを配置する必要があり、その結果、育成水槽に戻す育成水の勢いや水音に観賞魚が委縮して、常に育成水槽の底の隅に居るようになり、エサの捕食量も通常状態よりもかなり少ない状態となった。
【０００６】
そこで、本発明が解決しようとする課題は、ウルトラファインバブルを観賞魚の育成に有効活用できるようにするための観賞魚育成システムを提供することにある。
【課題を解決するための手段】
【０００７】
本発明の一観点によれば、「観賞魚を育成するための育成水を貯留する育成水槽と、この育成水槽から排出される育成水を濾過処理して濾過処理後の育成水を貯留する濾過槽と、濾過処理後の育成水を育成水槽に戻すための第１循環ポンプを備える第１循環流路と、濾過処理後の育成水を再び濾過槽に戻すための第２循環ポンプを備える第２循環流路と、第２循環流路の第２循環ポンプの下流側に配置され、酸素ガスをナノレベルの気泡となして育成水に混合させるための気液混合装置と、を有する観賞魚育成システム」が提供される。
【発明の効果】
【０００８】
本発明の観賞魚育成システムは、濾過槽内の育成水を育成水槽に戻すための循環流路（第１循環流路）とは別途に、濾過槽内の育成水を循環するための循環流路（第２循環流路）を有しており、この第２循環流路に酸素ガスをナノレベルの気泡（ウルトラファインバブル）となして育成水に混合させるための気液混合装置を設置している。これにより、第１循環流路に設置する第１循環ポンプは、濾過槽内の育成水を育成水槽に戻すために必要な出力を有していればよく、ウルトラファインバブルを生成するために第２循環流路に設置する第２循環ポンプに比べ、出力を大幅に小さくできる。その結果、育成水槽に戻す育成水の勢いや水音を低減でき、ウルトラファインバブルの生成能力を落とすことなく観賞魚へのストレス（観賞魚の委縮）を低減できる。
また、本発明の観賞魚育成システムでは、ウルトラファインバブルの生成を濾過槽内の育成水を循環するための第２循環流路で行う。これにより、育成水の溶存酸素量（ＤＯ値）を安定的に制御（操作）できる。
以上のように、本発明の観賞魚育成システムによればウルトラファインバブルを観賞魚の育成に有効活用できる。
【図面の簡単な説明】
【０００９】
【図１】本発明の一実施形態である観賞魚育成システムの構成図である。
【図２】比較例としての観賞魚育成システムの構成図である。
【発明を実施するための形態】
【００１０】
図１は、本発明の一実施形態である観賞魚育成システムの構成図である。
【００１１】
同図に示す観賞魚育成システムは、育成水槽１、濾過槽２、オーバーフロー管３、第１循環流路４、第２循環流路５及び気液混合装置６を有する。
【００１２】
育成水槽１は観賞魚を育成するための育成水を貯留し、この育成水槽１内で観賞魚を育成する。濾過槽２は育成水槽１から排出される育成水を濾過処理して濾過処理後の育成水を貯留する。濾過処理のための濾材は図示していないが、本実施形態では観賞魚に悪影響を与える汚染物質を物理的に除去する物理濾過用の濾材と生物学的に除去する生物濾過用の濾材を濾過槽２内に設置している。また、濾過槽２内には、濾過処理後の育成水を観賞魚の育成に適した温度まで昇温するためにヒータ（図示省略）を設置している。
【００１３】
本実施形態において育成水槽１から濾過槽２へ向けた育成水の排出方式はオーバーフロー方式としている。すなわち、育成水槽１とその下方に配置された濾過槽２とはオーバーフロー管３を介して接続されており、育成水槽１内の育成水がオーバーフロー管３を通じで自然流下により濾過槽２に排出される。育成水槽１から濾過槽２へ向けた育成水の排出方式はオーバーフロー方式には限定されず、排水ポンプを使用した排出方式とすることもできるが、育成水槽１内の観賞魚になるべくストレスを与えないようにする点からはオーバーフロー方式が好ましい。
【００１４】
第１循環流路４は、濾過槽２内の濾過処理後の育成水を育成水槽１に戻すための流路で、そのために第１循環ポンプ４ａを備える。第１循環流路４には、育成水を冷却するクーラ（図示省略）を設置している。すなわち本実施形態では、濾過槽２に設置したヒータと第１循環流路４に設置したクーラによって、濾過処理後の育成水を観賞魚の育成に適した温度になるように調節している。なお、ヒータ及びクーラ以外の温度調節手段を濾過槽２又は第１循環流路４に設置してもよい。また、濾過処理後の育成水を殺菌処理するために、殺菌灯などの殺菌手段を濾過槽２又は第１循環流路４に設置してもよい。
【００１５】
本実施形態において第１循環流路４の下流端４ｂは、育成水槽１内の育成水中に位置する。これにより育成水槽１に戻す育成水の水音等を低減でき、観賞魚へのストレスを低減できる。
【００１６】
第２循環流路５は、濾過槽２内の濾過処理後の育成水を再び濾過槽２に戻す、すなわち濾過槽２内の育成水を循環させるための流路で、そのために第２循環ポンプ５ａを備える。そして、第２循環流路５の第２循環ポンプ５ａの下流側に気液混合装置６が配置されており、第２循環ポンプ５ａと気液混合装置６との間に酸素ガスが供給されるようになっている。気液混合装置６は、この酸素ガスをナノレベルの気泡（ウルトラファインバブル）となして育成水に混合させる。このような気液混合装置としては、株式会社ナノクス製の「ラモンドナノミキサー」（登録商標）を好適に使用できる。
【００１７】
本実施形態において第２循環流路５の下流端５ｂは、濾過槽２内の育成水面の上方に位置する。これにより、育成水の溶存酸素量（ＤＯ値）をより安定的に制御（操作）できる。すなわち本発明者らの試験によると、第２循環流路５の下流端５ｂを濾過槽２内の育成水中に位置させると育成水の溶存酸素量（ＤＯ値）が漸次増加する傾向が見られたのに対し、本実施形態のように第２循環流路５の下流端５ｂを濾過槽２内の育成水面の上方に位置させると上記の溶存酸素量（ＤＯ値）の増加傾向が見られなくなり、育成水の溶存酸素量（ＤＯ値）をより安定的に制御（操作）できることがわかった。第２循環流路５の下流端を濾過槽２内の育成水面の上方に位置させると、育成水が空気を巻き込みながら濾過槽２に戻ることから上記の溶存酸素量（ＤＯ値）の増加傾向が抑えられると考えられる。なお、育成水の溶存酸素量（ＤＯ値）は酸素ガスの供給量を調節することで制御（操作）できる。
【００１８】
以上の構成において、育成水槽１内の育成水はオーバーフロー管３を通じて濾過槽２へ排出され、さらに第１循環流路４を通じて育成水槽１に戻る。一方、濾過槽２内の育成水は第２循環流路５を通じて循環され、第２循環流路５の途中でウルトラファインバブルが混合される。このように本実施形態では、育成水槽１内の育成水を循環させるための第１循環流路４とは別途の独立した循環流路である第２循環流路５においてウルトラファインバブルを混合するようにしている。これにより、第１循環流路４に設置する第１循環ポンプ４ａは、濾過槽２内の育成水を育成水槽１に戻すために必要な出力を有していればよく、ウルトラファインバブルを生成するために第２循環流路５に設置する第２循環ポンプ５に比べ、出力を大幅に小さくできる。その結果、育成水槽１に戻す育成水の勢いや水音を低減でき、ウルトラファインバブルの生成能力を落とすことなく観賞魚へのストレス（観賞魚の委縮）を低減できる。また、本実施形態では、ウルトラファインバブルの生成を濾過槽２内の育成水を循環するための第２循環流路５で行う。これにより、育成水の溶存酸素量（ＤＯ値）を安定的に制御（操作）できる。
【実施例】
【００１９】
本発明者らは、まず図２に示す観賞魚育成システムにてアジアアロワナ（金・赤の２種）の育成を始めた。この図２の観賞魚育成システムは、図１に示した第２循環流路５を有しておらず、第１循環流路４に気液混合装置６が配置されている。ウルトラファインバブルを生成するには高出力の循環ポンプが必要であることから、図２の観賞魚育成システムにおいて第１循環ポンプ４ａの出力は４００Ｗとした。また、育成水の条件として、育成水の溶存酸素量（ＤＯ値）は１１〜１３ｍｇ／ｍＬ、ウルトラファインバブルの平均粒径は約１００ｎｍ、その密度（ナノ密度）は３〜４億個／ｍＬとした。育成の結果は、育成水槽１に戻す育成水の勢いや水音にアジアアロワナが委縮して、常に育成水槽１の底の隅に居るようになり、エサの捕食量も通常状態よりもかなり少ない状態となった。
【００２０】
そこで、本発明者らは図１に示す観賞魚育成システムにて同じアジアアロワナ（金・赤の２種）の育成を続行した。この図１の観賞魚育成システムにおいて第２循環ポンプ５ａの出力は図２の第１循環ポンプ４ａと同じ４００Ｗとした。一方、図１の第１循環ポンプ４ａの出力は、濾過槽２内の育成水を育成水槽１に戻すために必要な出力として６４Ｗまで小さくした。育成水の条件は図２の観賞魚育成システムと同じで、育成水の溶存酸素量（ＤＯ値）は１１〜１３ｍｇ／ｍＬ、ウルトラファインバブルの平均粒径は約１００ｎｍ、その密度（ナノ密度）は３〜４億個／ｍＬとした。
【００２１】
育成の結果は、アジアアロワナが委縮している様子は見られず、常に育成水槽１の底の隅に居るような状態もなくなり、エサの捕食量も多くなって良好な健康状態を維持できている。また専門家に育成中のアジアアロワナを見てもらったところ、同時期の通常状態より発色が非常に良い状態で綺麗であるとのことであった。また、ウルトラファインバブルによる付随効果として、育成水槽１及び濾過槽２の壁面にヌメリが発生しないという効果も得られた。育成水の溶存酸素量（ＤＯ値）も１１〜１３ｍｇ／ｍＬの範囲に安定的に維持できた。
【符号の説明】
【００２２】
１  育成水槽
２  濾過槽
３  オーバーフロー管
４  第１循環流路
４ａ  第１循環ポンプ
４ｂ  第１循環流路の下流端
５  第２循環流路
５ａ  第２循環ポンプ
５ｂ  第２循環流路の下流端
６  気液混合装置
【図１】
2018153159.tif 000003
【図２】
2018153159.tif 000004